(57)【要約】【課題】  輸送や保管の際に嵩張らない展示台を提供する。【解決手段】  型紙１ａを立体的に組み立てて形成される展示台であって、型紙１ａは、雑誌、書籍などの商品を載置する載置部３と、この載置部３を水平面に対して一定の角度に維持可能な、背面部５と側面部６からなる支持部４を、少なくとも備えている。型紙１ａは、型抜きされた一枚の紙材からなり、載置部３と支持部４は折曲線１１，１２を介して連設されている。側面部６には挿入片６ｂを備えた底面側折り返し片６ａを折曲線１４を介して連設すると共に、底面部７にはスリット孔７ｂを設け、組み立て時に、底面側折り返し片６ａを底面部７側に折り曲げ、スリット孔７ｂに挿入片６ｂを挿入する。【選択図】  図１
0003163220.tif 000002
【実用新案登録請求の範囲】
【請求項１】
型紙を立体的に組み立てて形成される展示台であって、前記型紙は、雑誌、書籍などの商品を載置する載置部と、この載置部を水平面に対して一定の角度に維持可能な支持部とを、少なくとも備えたことを特徴とする展示台。
【請求項２】
前記型紙は、型抜きされた一枚の紙材からなり、前記載置部と前記支持部は、折曲線を介して連設されていることを特徴とする請求項１に記載の展示台。
【請求項３】
前記支持部は、組み立て時に方形状の背面を形成する背面部と、前記背面部の高さと等しい長さの辺を有し、組み立て時に三角形状の側面を形成する側面部とで構成されることを特徴とする請求項１又は２に記載の展示台。
【請求項４】
前記型紙は、展示台の底を形成する底面部と、この底面部と折曲線を介して連設され、組み立て時に前記側面部の内側に位置する補助支持部とを、さらに備えたことを特徴とする請求項１〜３の何れかに記載の展示台。
【請求項５】
前記側面部に、挿入片を備えた底面側折り返し片を折曲線を介して連設すると共に、前記底面部にスリット孔を設け、組み立て時に、前記底面側折り返し片を底面部側に折り曲げると共に、前記スリット孔に前記挿入片を挿入させることを特徴とする請求項４に記載の展示台。
【請求項６】
前記挿入片は、前記挿入片の挿入方向と交差する方向の幅が、前記スリット孔の長さよりも大きくなる部分を一部有する形状としたことを特徴とする請求項５に記載の展示台。    
【請求項７】
前記底面部の前記補助支持部を設けた辺の一部に、切り欠き部を設けると共に、組み立て時に、前記側面部と前記載置部の間の折曲線と、前記側面部と前記底面側折り返し片の間の折曲線が交わる角部を、前記切り欠き部と係合させることを特徴とする請求項５又は６に記載の展示台。
【請求項８】
前記側面部に、第２挿入片を備えた背面側折り返し片を折曲線を介してさらに連設すると共に、前記背面部に第２スリット孔を設け、組み立て時に、前記背面部側折り返し片を背面側に折り曲げると共に、前記第２挿入片を前記第２スリット孔に挿入させることを特徴とする請求項５〜７の何れかに記載の展示台。
【請求項９】
前記第２挿入片は、前記第２挿入片の挿入方向と交差する方向の幅が、前記第２スリット孔の長さよりも大きくなる部分を一部有する形状としたことを特徴とする請求項８に記載の展示台。
【請求項１０】
前記型紙は、前記背面部と折曲線を介して連設され、組み立て時に前記側面部の背面部側の角部の内側に位置する第２補助支持部をさらに備えたことを特徴とする請求項８又は９に記載の展示台。
【請求項１１】
前記型紙は、前記載置部と前記底面部の間に、前記載置部に載置する商品の下部を支えるストッパー部を、折曲線を介してさらに配設したことを特徴とする請求項４〜１０の何れかに記載の展示台。
【請求項１２】
前記ストッパー部は、前記載置部と谷折りの折曲線を介して連設される商品支え部と、この商品支え部及び前記底面部の何れとも山折りの折曲線を介して連設される正面部とで構成され、組み立て時に、前記商品支え部と前記正面部が側面視三角形状のストッパー部を形成することを特徴とする請求項１１に記載の展示台。
【請求項１３】
雑誌を載置する展示台であって、前記載置部に、当該雑誌の出版社から書店の店長又は担当者に向けたメッセージを表示したことを特徴とする請求項１２に記載の展示台。
【考案の詳細な説明】
【技術分野】
【０００１】
本考案は、例えば雑誌、書籍、カタログ、パンフレット、フリーペーパー等の印刷物やノートブック、レポート用紙等の文房具類などを店頭で展示するのに適した商品の展示台に関するものである。
【背景技術】
【０００２】
従来、例えば書店において、人気の雑誌や今話題になっている新刊の書籍などを顧客に目立つように展示するために、例えば板状のアクリル製樹脂を側面視略Ｍ字状に成型した展示台が使用されていた（非特許文献１、本立て（全２タイプ））。
【０００３】
このような展示台を利用すれば、雑誌、書籍などの商品を、顧客から見えやすい角度で傾斜陳列することができる。
【０００４】
しかし、従来の展示台は、アクリルなどの合成樹脂によって所定の形状に成型されたものであるから、輸送や保管の際に嵩張ってスペース効率が悪く、そのためコストも高くつくという問題があった。
【先行技術文献】
【特許文献】
【０００５】
【非特許文献１】“賑わい創りの道具や、カタログケース・進物立・本立・皿立のページ”、［online］、株式会社日本演出、［平成２２年３月４日検索］、インターネット＜URL：http://www.nigiwai-dougu.com/category/011_acrylic-optical/011_variety_stand.html＞
【考案の概要】
【考案が解決しようとする課題】
【０００６】
本考案が解決しようとする問題点は、合成樹脂製の従来の展示台は、輸送や保管の際に嵩張る点である。
【課題を解決するための手段】
【０００７】
本考案の展示台は、
型紙を立体的に組み立てて形成される展示台であって、前記型紙は、雑誌、書籍などの商品を載置する載置部と、この載置部を水平面に対して一定の角度に維持可能な支持部とを、少なくとも備えたことを最も主要な特徴とする。
【考案の効果】
【０００８】
本考案では、雑誌、書籍などの商品を載置する載置部と、この載置部を水平面に対して一定の角度に維持可能な支持部とを、少なくとも備えた型紙を、立体的に組み立てて展示台を形成する。よって、組み立てる前は、一枚又は複数枚からなる型紙の状態で、輸送や保管ができるので、嵩張ることがない。また、合成樹脂製の従来の展示台を比較すると、容積、重さ共に大幅に削減できるため、輸送コストや保管コストも低減できる。
【０００９】
また、本考案の展示台は、例えばボール紙やクラフト紙等の適度の剛性を有する紙材からなる型紙で構成できるので、新聞、雑誌、ダンボール箱などを回収する資源ゴミの日に廃棄することが可能となる。
【００１０】
上記本考案の展示台において、
前記型紙は、型抜きされた一枚の紙材からなり、前記載置部と前記支持部は、折曲線を介して連設されている方が、より好ましい。
【００１１】
上記のように構成すれば、一枚の型紙のみで展示台を製作できるので、組み立ての作業が容易となる上、載置部と支持部が交わる角部は折曲線を介して連設されたものとなるので、載置部と支持部が分離した構成を採用する場合と比較すると、前記角部の強度が向上するからである。
【００１２】
また、上記本考案の展示台において、
前記支持部は、組み立て時に方形状の背面を形成する背面部と、前記背面部の高さと等しい長さの辺を有し、組み立て時に三角形状の側面を形成する側面部とで構成する方が、より望ましい。
【００１３】
本考案では、側面部の形状は限定されないが、例えば台形状の側面部を用いた場合、斜め下向きの加重に対し側面部の４つの角部の角度が変化しやすく、それに伴い展示台が変形してしまうおそれが高くなる。そこで、上記のように、載置部を支える支持部を、方形状の背面部と三角形状の側面部とで構成すれば、側面部の３つの角部の角度は斜め下向きに力が加わった場合でも維持されるため、展示台の強度が向上する。
【００１４】
また、上記本考案の展示台において、
前記型紙は、展示台の底を形成する底面部と、この底面部と折曲線を介して連設され、組み立て時に前記側面部の内側に位置する補助支持部とを、さらに備えた構成とすることが、より好ましい。
【００１５】
上記のように構成すれば、展示台の側面が二重の構成となるので、補助支持部を設けずに側面部のみで展示台の側面を構成する場合と比較すると、展示台の強度をさらに向上できるからである。
【図面の簡単な説明】
【００１６】
【図１】本考案の第１実施例の展示台を展開し、型紙の構成を説明する図である。
【図２】第１実施例の展示台の組み立て工程を説明する図であり、側面部及び補助支持部を折り曲げた状態を示した斜視図である。
【図３】第１実施例の展示台の組み立て工程の説明図であり、（ａ）は底面側折り返し片を折り曲げて挿入片をスリット孔に挿入する状態を、（ｂ）は背面部を折り曲げて底面部と係合させる状態を示した図である。
【図４】（ａ）は組み立てが完了した第１実施例の展示台を示す図であり、（ｂ）は載置部に雑誌を載せた状態を示した図である。
【図５】本考案の第２実施例の展示台を展開し、型紙の構成を説明する図である。
【図６】第２実施例の展示台の組み立て工程を説明する図であり、補助支持部及び第２補助支持部を折り曲げた状態を示した斜視図である。
【図７】第２実施例の展示台の組み立て工程の説明図であり、（ａ）は底面側折り返し片を折り曲げて挿入片をスリット孔に挿入する状態を、（ｂ）は背面側折り返し片を折り曲げて第２挿入片を第２スリット孔に挿入する状態を示した図である。
【考案を実施するための形態】
【００１７】
以下、本考案の新しい着想とともに、本考案を実施するための種々の形態について添付図面を用いて説明する。図１は、本考案の第１実施例の展示台に用いる型紙の構成を示した図である。
【００１８】
本考案の第１実施例の展示台は、書店などにおいて雑誌を顧客から見えやすい角度で陳列するための展示台であり、型紙１ａを立体的に組み立てて形成される。型紙１ａは、雑誌のサイズよりも若干大きい平面からなり、その平面上に雑誌を載置可能な載置部３と、この載置部３を後方に向かう程高さが高くなるように水平面に対して３０°の角度に維持可能とする支持部４を少なくとも備えている。
【００１９】
型紙１ａは、図１に示すような形状に型抜きされた一枚の紙材からなり、本実施例ではボール紙を使用している。また、支持部４は、背面部５と左右の側面部６とで構成され、それらは載置部３と折曲線１１，１２を介して連設されている。折曲線１１，１２には、ボール紙の折り曲げを容易とするために、あらかじめ押圧加工により折り曲げ線が形成されている。
【００２０】
背面部５は、第１実施例の展示台を組み立てた時に、方形状の背面を形成する部分である。また、側面部６は、背面部５の上下方向の高さと等しい長さの辺を有し、組み立て時に直角三角形状の側面を形成する部分である。
【００２１】
以上のような構成とすることにより、第１実施例の展示台は、１枚の型紙１ａで構成されるから組み立て作業が容易となり、載置部３と支持部４（背面部５及び側面部６）が夫々連設されているからそれらが交わる角部の強度を向上でき、さらに、側面部６が直角三角形状であるから斜め下向きの加重に対しても角部の角度が変化しにくくなり、展示台の強度を良好に保つことができる。
【００２２】
図２〜図３は、第１実施例の展示台２ａの組み立て工程を説明する図である。第１実施例の型紙１ａは、展示台２ａの底を形成する底面部７と、この底面部７と折曲線１３を介して連設され、展示台２ａを組み立てた時に側面部６の内側に位置する補助支持部７ａとを備えている。
【００２３】
補助支持部７ａは、図１に示すように、側面部６とほぼ同一の形状で、サイズは若干小さくしている。よって、先ず、図２に示すように側面部６と補助支持部７ａを夫々垂直に立て、図３（ａ）に示すように補助支持部７ａの外側から被せるように側面部６を折り曲げると、展示台２ａの側面は、側面部６と補助支持部７ａによって二重の構成となるので、さらに強度が向上する。
【００２４】
第１実施例では、前述のとおり、載置部３と側面部６は連設されているので強度が保たれるが、側面部６と底面部７は分離しているので、これらを接続するときに何らかの手段で強度を確保する必要がある。例えば、側面部６に直接挿入片を凸設し、折曲線１３上に設けたスリットに挿入させるという方法も可能であるが、その場合、側面部６と底面部７が交わる角部の強度は不十分である。
【００２５】
そこで、第１実施例の型紙１ａでは、側面部６に、挿入片６ｂを備えた底面側折り返し片６ａを折曲線１４を介して連設すると共に、底面部７にスリット孔７ｂを設け、組み立て時に、前記底面側折り返し片６ａを底面部７側に折り曲げると共に、前記スリット孔７ｂに前記挿入片６ｂを挿入させるように構成した。図３（ａ）及び（ｂ）は、底面側折り返し片６ａを側面部６と底面部７が交わる角部で折り曲げ、挿入片６ｂをスリット孔７ｂに挿入した状態を示している。
【００２６】
このようにすれば、側面部６と底面部７が交わる角部は、折曲線１３と折曲線１４が重なる状態となり、二重の構成となるので、強度が向上する。
【００２７】
また、上記のように構成する場合、挿入片６ｂは、前記挿入片６ｂの挿入方向と交差する方向の幅が、スリット孔７ｂの長さよりも大きくなる部分を一部有する形状とすることが望ましい。つまり、挿入片６ｂは、先端はスリット孔７ｂよりも細幅で、根元に向かうほど徐々に幅が増し、スリット孔７ｂよりも若干太幅の部分を経て、根元の部分では再びスリット孔７ｂよりも細幅としている。
【００２８】
このようにすれば、挿入片６ｂは、スリット孔７ｂよりも若干太幅とした部分が僅かに変形してスリット孔７ｂに挿入され、この部分に引っ掛かりによる適度の抵抗が生じるため、接着テープなど別途の固定手段を用いなくても、挿入片６ｂがスリット孔７ｂから抜け出すことはなく、展示台２ａを組み立てた状態を良好に維持できる。
【００２９】
なお、第１実施例では、底面部７の左右の辺に近接させてスリット孔７ｂを夫々１個ずつ設ける例を開示しているが、スリット孔７ｂは、底面部７の左右の辺に近接させて夫々２個ずつ設けても良い。その場合、左右の底面側折り返し片６ａの対応位置に、挿入片６ｂを２個ずつ凸設させれば良い。
【００３０】
また、第１実施例の型紙１ａでは、底面部７の補助支持部７ａを設けた辺の一部に、切り欠き部７ｃを設けると共に、組み立て時に、側面部６と載置部３の間の折曲線１１と、前記側面部６と底面側折り返し片６ａの間の折曲線１４が交わる角部６ｃを、前記切り欠き部７ｃと係合させる構成を採用した。
【００３１】
これは、第１実施例の型紙１ａでは、図３（ａ）に示すように、補助支持部７ａの外側から被せるように側面部６を折り曲げるのであるが、その際、角部６ｃが当たる位置に切り欠き部７ｃを設けていると、側面部６を被せる際に位置決めが容易となり、かつ、組み立て後においても、角部６ｃと切り欠き部７ｃが係合しているので、側面部６が前方にずれるのを防止でき、展示台２ａの形状が極めて安定するからである。
【００３２】
なお、第１実施例では、図１に示すとおり、背面部５の底面部７側の辺に挿入用片５ｃを凸設し、この挿入用片５ｃを底面部７と折り返し片７ｄの間の折曲線２０上に設けたスリット７ｅに挿入し、背面部５と底面部７を固定する構成としている。また、背面部５の左右に挿入用片５ｄを凸設し、この挿入用片５ｄを、側面部６と背面側折り返し片６ｄの間の折曲線１５上に設けたスリット６ｆに挿入して背面部５と側面部６を固定する構成としている。図３（ｂ）は、挿入用片５ｃをスリット７ｅに、挿入用片５ｄをスリット６ｆに挿入しようとしている状態を示している。
【００３３】
図４（ａ）は組み立てが完了した第１実施例の展示台２ａを示す図であり、（ｂ）は載置部３に雑誌Ｍを載せた状態を示した図である。第１実施例の型紙１ａは、図１に示すように、載置部３と底面部７の間に、前記載置部３に載置する商品の下部を支えるストッパー部８を、折曲線１７，１８を介してさらに配設した構成としている。よって、図４に示すように、ストッパー部８が雑誌Ｍの下部を支えるので、傾斜陳列の角度を例えば３０°〜４０°にした場合でも、載置部３上に載せた商品が前方にずれることがない。
【００３４】
第１実施例の展示台２ａのストッパー部８は、載置部３と谷折りの折曲線１７を介して連設される商品支え部８ａと、この商品支え部８ａ及び底面部７の何れとも山折りの折曲線１８，１９を介して連設される正面部８ｂとで構成され、組み立て時に、前記商品支え部８ａと前記正面部８ｂが側面視三角形状のストッパー部８を形成するように構成している。このようにすれば、側面部６のみならず、ストッパー部８についても角度変化が生じない三角形の構造となるので、展示台２ａの強度を向上できる。
【００３５】
さらに、第１実施例の展示台２ａは、雑誌を載置する展示台２ａであって、載置部３に、当該雑誌の出版社から書店の店長又は担当者に向けたメッセージ３ａを表示した構成を採用している。
【００３６】
雑誌の出版社から書店の店長、担当者などに向けたメッセージ３ａとは、例えば日頃の取引に対する感謝の意を表した文章である。メッセージ３ａは、載置部３上に雑誌Ｍが置かれている図４（ｂ）の状態のときは見えないのであるが、書店の店長や担当者は、次週号又は次月号の雑誌Ｍと入れ替えるときに、載置部３の載置面上にメッセージ３ａが表示されていることに気付き、何が書かれているのだろうと関心を抱き、謝辞を読むことになるのである。よって、漫然と日常的に表示されているのではなく、次週号や次月号との入れ替えのタイミングでタイムリーに謝辞を読んでもらうことができ、書店の店長や担当者に心地良く次回の取引をしてもらうことができるので、雑誌の出版社にとって好適な構成である。なお、正面部８ｂは、顧客の目に留まりやすい部分であるので、例えば出版社から読者に対するメッセージを表示することが望ましい。
【００３７】
図５は、本考案の第２実施例の展示台の型紙１ｂの構成を示した図である。第２実施例の展示台２ｂも、例えば書店などにおいて、雑誌を顧客から見えやすい角度で傾斜陳列するための展示台であり、図６〜図７に示すように、型紙１ｂを立体的に組み立てて形成される。第１実施例の展示台２ａとの違いは、背面部５と側面部６の間の角部の強度をさらに向上した点である。
【００３８】
すなわち、第１実施例では、図１に示すとおり、背面部５の左右に直接挿入用片５ｄを凸設し、この挿入用片５ｄを側面部６と背面側折り返し片６ｄの間の折曲線１５上に設けたスリット６ｆに挿入して背面部５と側面部６を固定していたが、この場合、背面部５と側面部６の間の角部の強度が不足するおそれがある。
【００３９】
そこで、第２実施例の展示台２ｂでは、型紙１ｂは、側面部６に、第２挿入片６ｅを備えた背面側折り返し片６ｄを折曲線１５を介して連設すると共に、背面部５に第２スリット孔５ｂを設け、組み立て時に、前記背面側折り返し片６ｄを背面部５側に折り曲げると共に、前記第２スリット孔５ｂに前記第２挿入片６ｅを挿入させるように構成した。図７（ｂ）は背面側折り返し片６ｄを側面部６と背面部５が交わる角部で折り曲げて、第２挿入片６ｅを第２スリット孔５ｂに挿入する状態を示している。
【００４０】
このようにすれば、背面部５の左右の両端は、背面部５と背面側折り返し片６ｄが重なる状態となるので、強度が向上する。
【００４１】
また、上記のように構成する場合、第２挿入片６ｅは、前記第２挿入片６ｅの挿入方向と交差する方向の幅が、第２スリット孔５ｂの長さよりも大きくなる部分を一部有する形状とすることが望ましい。つまり、前述した挿入片６ｂとスリット孔７ｂの関係と同様、第２挿入片６ｅについても、先端は第２スリット孔５ｂよりも細幅で、根元に向かうほど徐々に幅が増し、第２スリット孔５ｂよりも若干太幅の部分を経て、根元の部分では再び第２スリット孔５ｂよりも細幅とする構成を採用している。
【００４２】
よって、第２挿入片６ｅについても、接着テープなど別途の固定手段は不要であり、一旦、第２スリット孔５ｂに挿入した後は、意図的に引き抜かない限り、通常の使用で抜け出すことはない。
【００４３】
また、第２実施例の展示台２ｂでは、型紙１ｂは、背面部５と折曲線１６を介して連設され、組み立て時に側面部６の背面部５側の角部の内側に位置する第２補助支持部５ａをさらに備えた構成としている。
【００４４】
よって、先ず、図６に示すように、左右の第２補助支持部５ａを垂直に立て、図７（ａ）に示すように、背面部５を起こした後、図７（ｂ）に示すように、第２補助支持部５ａの外側から被せるように背面側折り返し片６ｄを背面部５側に折り曲げると、背面部５と側面部６が交わる角部は、折曲線１５と折曲線１６が重なる状態となり、二重の構成となる。
【００４５】
したがって、第２実施例の展示台２ｂのように構成する場合、背面部５と側面部６の間の角部の強度が向上する。
【００４６】
本考案は上記の例に限らず、各請求項に記載された技術的思想の範疇であれば、適宜実施の形態を変更しても良いことは言うまでもない。
【００４７】
例えば、上記実施例では、商品支え部と正面部を側面視三角形状に折り曲げて、その左右の側面が開放しているストッパー部を開示したが、ストッパー部の構成はこれに限らない。例えば、側面視四角形状となるように構成すると共に、側面を有するストッパー部としても良い。
【産業上の利用可能性】
【００４８】
以上の本考案は、雑誌、書籍に限らず、例えばノートブック、レポート用紙などの文房具を陳列する展示台としても利用できるものである。
【符号の説明】
【００４９】
１ａ，１ｂ    型紙
２ａ，２ｂ    展示台
３    載置部
３ａ  メッセージ
４    支持部
５    背面部
５ａ  第２補助支持部
５ｂ  第２スリット孔
６    側面部
６ａ  底面側折り返し片
６ｂ  挿入片
６ｃ  角部
６ｄ  背面側折り返し片
６ｅ  第２挿入片
７    底面部
７ａ  補助支持部
７ｂ  スリット孔
７ｃ  切り欠き部
８    ストッパー部
８ａ  商品支え部
８ｂ  正面部
１１，１２，１３，１４，１５，１６，１７，１８，１９，２０  折曲線
【図１】
0003163220.tif 000003
【図２】
0003163220.tif 000004
【図３】
0003163220.tif 000005
【図４】
0003163220.tif 000006
【図５】
0003163220.tif 000007
【図６】
0003163220.tif 000008
【図７】
0003163220.tif 000009
【手続補正書】
【提出日】平成22年7月29日(2010.7.29)
【手続補正１】
【補正対象書類名】実用新案登録請求の範囲
【補正対象項目名】全文
【補正方法】変更
【補正の内容】
【実用新案登録請求の範囲】
【請求項１】
型紙を立体的に組み立てて形成される展示台であって、
前記型紙は、
雑誌、書籍などの商品を載置する載置部と、
この載置部の上端に折曲線を介して連設され、組み立て時に方形状の背面を形成する背面部と、
前記載置部の左右に折曲線を介して連設され、前記背面部の高さと等しい長さの辺を有し、組み立て時に三角形状の側面を形成する側面部と、を少なくとも備え、
前記載置部の載置面は、前記背面部と前記側面部を折り曲げて展示台を組み立てた時に水平面に対して一定の角度に維持されることを特徴とする展示台。
【請求項２】
前記型紙は、型抜きされた一枚の紙材からなることを特徴とする請求項１に記載の展示台。
【請求項３】
前記載置部の載置面は、前記背面部と前記側面部を折り曲げて展示台を組み立てた時に水平面に対して３０°の角度に維持されることを特徴とする請求項１又は２に記載の展示台。
【請求項４】
前記型紙は、展示台の底を形成する底面部と、この底面部と折曲線を介して連設され、組み立て時に前記側面部の内側に位置する補助支持部とを、さらに備えたことを特徴とする請求項１〜３の何れかに記載の展示台。
【請求項５】
前記側面部に、挿入片を備えた底面側折り返し片を折曲線を介して連設すると共に、前記底面部にスリット孔を設け、組み立て時に、前記底面側折り返し片を底面部側に折り曲げると共に、前記スリット孔に前記挿入片を挿入させることを特徴とする請求項４に記載の展示台。
【請求項６】
前記挿入片は、前記挿入片の挿入方向と交差する方向の幅が、前記スリット孔の長さよりも大きくなる部分を一部有する形状としたことを特徴とする請求項５に記載の展示台。      
【請求項７】
前記底面部の前記補助支持部を設けた辺の一部に、切り欠き部を設けると共に、組み立て時に、前記側面部と前記載置部の間の折曲線と、前記側面部と前記底面側折り返し片の間の折曲線が交わる角部を、前記切り欠き部と係合させることを特徴とする請求項５又は６に記載の展示台。
【請求項８】
前記側面部に、第２挿入片を備えた背面側折り返し片を折曲線を介してさらに連設すると共に、前記背面部に第２スリット孔を設け、組み立て時に、前記背面部側折り返し片を背面側に折り曲げると共に、前記第２挿入片を前記第２スリット孔に挿入させることを特徴とする請求項５〜７の何れかに記載の展示台。
【請求項９】
前記第２挿入片は、前記第２挿入片の挿入方向と交差する方向の幅が、前記第２スリット孔の長さよりも大きくなる部分を一部有する形状としたことを特徴とする請求項８に記載の展示台。
【請求項１０】
前記型紙は、前記背面部と折曲線を介して連設され、組み立て時に前記側面部の背面部側の角部の内側に位置する第２補助支持部をさらに備えたことを特徴とする請求項８又は９に記載の展示台。
【請求項１１】
前記型紙は、前記載置部と前記底面部の間に、前記載置部に載置する商品の下部を支えるストッパー部を、折曲線を介してさらに配設したことを特徴とする請求項４〜１０の何れかに記載の展示台。
【請求項１２】
前記ストッパー部は、前記載置部と谷折りの折曲線を介して連設される商品支え部と、この商品支え部及び前記底面部の何れとも山折りの折曲線を介して連設される正面部とで構成され、組み立て時に、前記商品支え部と前記正面部が側面視三角形状のストッパー部を形成することを特徴とする請求項１１に記載の展示台。
【請求項１３】
雑誌を載置する展示台であって、前記載置部に、当該雑誌の出版社から書店の店長又は担当者に向けたメッセージを表示したことを特徴とする請求項１２に記載の展示台。
【手続補正２】
【補正対象書類名】明細書
【補正対象項目名】０００７
【補正方法】変更
【補正の内容】
【０００７】
本考案の展示台は、
型紙を立体的に組み立てて形成される展示台であって、前記型紙は、雑誌、書籍などの商品を載置する載置部と、この載置部の上端に折曲線を介して連設され、組み立て時に方形状の背面を形成する背面部と、前記載置部の左右に折曲線を介して連設され、前記背面部の高さと等しい長さの辺を有し、組み立て時に三角形状の側面を形成する側面部と、を少なくとも備え、前記載置部の載置面は、前記背面部と前記側面部を折り曲げて展示台を組み立てた時に水平面に対して一定の角度に維持されることを最も主要な特徴とする。
【手続補正３】
【補正対象書類名】明細書
【補正対象項目名】０００８
【補正方法】変更
【補正の内容】
【０００８】
本考案では、雑誌、書籍などの商品を載置する載置部と、この載置部を水平面に対して一定の角度に維持可能とするため、前記載置部の上端に連設された方形状の背面部と、前記載置部の左右に連設された三角形状の側面部とを、少なくとも備えた型紙を、立体的に組み立てて展示台を形成する。よって、組み立てる前は、一枚又は複数枚からなる型紙の状態で、輸送や保管ができるので、嵩張ることがない。また、合成樹脂製の従来の展示台を比較すると、容積、重さ共に大幅に削減できるため、輸送コストや保管コストも低減できる。